(57)【要約】【課題】接続部カバー部の垂直布設バスダクトの延設方向における長さを抑制可能であり、例えば接続部が短い距離で連続して設けられる垂直布設バスダクトの場合等にも、接続部カバー部を確実に取り付けることができる垂直布設バスダクトの防水構造を提供する。【解決手段】複数のバスダクトユニット１を接続して垂直方向に布設して構成される垂直布設バスダクトの防水構造であって、上側に位置する一のバスダクトユニット１と下側に位置する他のバスダクトユニット１とを接続部で接続し、前記接続部の周囲外方に突出するフランジ部１８を一のバスダクトユニット１のハウジング１０の下端に略当接するように設け、フランジ部１８から下方に突出して接続部の全周を覆う接続部カバー部２を設け、更には、フランジ部１８から上方に突出する突出部１９を設け、突出部１９を一のバスダクトユニット１のハウジング１０の内側に配置してハウジング１０と固定する。【選択図】図６
2010124683.tif 000002
【特許請求の範囲】
【請求項１】
複数のバスダクトユニットを接続して垂直方向に布設して構成される垂直布設バスダクトの防水構造であって、
上側に位置する一のバスダクトユニットと下側に位置する他のバスダクトユニットとを接続部で接続し、
前記接続部の周囲外方に突出するフランジ部を前記一のバスダクトユニットのハウジングの下端に略当接するように設け、
前記フランジ部から下方に突出して前記接続部の全周を覆う接続部カバー部を設けることを特徴とする垂直布設バスダクトの防水構造。
【請求項２】
前記フランジ部から上方に突出する突出部を設け、
前記突出部を前記一のバスダクトユニットのハウジングの内側に配置することを特徴とする請求項１記載の垂直布設バスダクトの防水構造。
【請求項３】
前記他のバスダクトユニットのハウジング上端を前記フランジ部の下側に配置し、前記フランジ部に固定することを特徴とする請求項１又は２記載の垂直布設バスダクトの防水構造。
【請求項４】
前記接続部を、前記一のバスダクトユニットと前記他のバスダクトユニットを接続する接続ユニットとすることを特徴とする請求項１〜３の何れかに記載の垂直布設バスダクトの防水構造。
【請求項５】
前記突出部の外面と前記一のバスダクトユニットのハウジングの内面との間に止水材を設けることを特徴とする請求項１〜４の何れかに記載の垂直布設バスダクトの防水構造。
【請求項６】
前記突出部を前記フランジ部の略中央で上下に開口する筒状に形成することを特徴とする請求項１〜５の何れかに記載の垂直布設バスダクトの防水構造。
【発明の詳細な説明】
【技術分野】
【０００１】
本発明は、複数のバスダクトユニットを接続して垂直方向に布設して構成される垂直布設バスダクトの防水構造に関する。
【背景技術】
【０００２】
従来、複数のバスダクトユニットを接続して垂直方向に布設して構成される垂直布設バスダクトの防水構造として、特許文献１の防水構造がある。特許文献１の防水構造は、複数のバスダクトユニットを接続部で接続して垂直方向に布設される垂直布設バスダクトにおいて、接続部の上部近傍位置における上側のバスダクトユニットのハウジング外周に周囲外方に突出するフランジ部を取り付け、フランジ部の下方位置に接続部カバー部を接続部の全周を覆うように設け、接続部カバー部を構成する各カバー部材をフランジ部に締着具で固定するものである。
【先行技術文献】
【特許文献】
【０００３】
【特許文献１】特開２００６−１１５６３２号
【発明の概要】
【発明が解決しようとする課題】
【０００４】
ところで、特許文献１の防水構造は、フランジ部を上側のバスダクトユニットのハウジング外周に取り付け、そのフランジ部に接続部カバー部を取り付けるものであるため、接続部を確実に被覆するためにある程度長い接続部カバー部が必要とされる。即ち、垂直布設バスダクトの延設方向の長さが長い大型の接続部カバー部が要求されるが、例えば接続部が短い距離で連続して設けられる垂直布設バスダクトの場合や、複数系統の垂直布設バスダクトを相互の布設間隔を狭くするために幅方向等に膨らむ接続部をずらして設置する場合等に、斯様な長い接続部カバー部は取り付けが困難となる虞がある。
【０００５】
また、特許文献１の防水構造は、フランジ部を上側のバスダクトユニットのハウジング外周に取り付けるものであるため、バスダクトユニットのハウジングと外周のフランジ部との間にパッキンやシーリング等の止水材が必要になる。そして、バスダクトユニットのハウジングと外周のフランジ部との間に止水材を設ける場合、止水材の取付状況によっては、防水効果に差が出ることから、組立作業者に熟練した作業が求められるという不具合がある。また、止水材の取付状況によっては、外部に止水材が露出して外観が損なわれると共に、紫外線により劣化してしまうという不具合もある。
【０００６】
また、バスダクトには補強部が設けられ、複雑な外形のものが多く存在するが、そのような場合に、フランジ部をバスダクトの外形に合わせて製造して取付ける、或いはバスダクトの外形を複雑な形状から一部矩形に製造する等の工程が必要となり、製造コストが膨大となる。更に、バスダクトの外形を一部矩形にする場合、バスダクト自体に方向性が出てくるため、施工性が低下するという不具合も生ずる。
【０００７】
本発明は上記不具合を解消するために提案するものであって、接続部カバー部の垂直布設バスダクトの延設方向における長さの大型化を抑制可能であり、例えば接続部が短い距離で連続して設けられる垂直布設バスダクトの場合や、複数系統の垂直布設バスダクトを相互の布設間隔を狭くするために幅方向等に膨らむ接続部をずらして設置する複数系統の垂直布設バスダクトの場合等にも、接続部カバー部を確実に取り付けることができる垂直布設バスダクトの防水構造を提供することを目的とする。
【０００８】
また、本発明の他の目的は、組立作業者の熟練度によらず、接続部を確実に防水することができると共に、外部に止水材が露出して外観が損なわれることや止水材の紫外線による劣化を防止できる垂直布設バスダクトの防水構造を提供することにある。
【０００９】
また、本発明の他の目的は、製造コスト、施工効率に優れる垂直布設バスダクトの防水構造を提供することにある。
【課題を解決するための手段】
【００１０】
本発明の垂直布設バスダクトの防水構造は、複数のバスダクトユニットを接続して垂直方向に布設して構成される垂直布設バスダクトの防水構造であって、上側に位置する一のバスダクトユニットと下側に位置する他のバスダクトユニットとを接続部で接続し、前記接続部の周囲外方に突出するフランジ部を前記一のバスダクトユニットのハウジングの下端に略当接するように設け、前記フランジ部から下方に突出して前記接続部の全周を覆う接続部カバー部を設けることを特徴とする。
前記構成では、フランジ部を一のバスダクトユニットのハウジング下端に略当接させ、そのフランジ部から下方に突出して接続部カバー部を設けることにより、接続部カバー部の垂直布設バスダクトの延設方向における長さの大型化を抑制することができる。即ち、接続部カバー部或いは防水構造を短くすることが可能であり、例えば接続部が短い距離で連続して設けられる垂直布設バスダクトの場合や、複数系統の垂直布設バスダクトを相互の布設間隔を狭くするために幅方向等に膨らむ接続部をずらして設置する複数系統の垂直布設バスダクトの場合等にも、接続部カバー部を確実に取り付けることが可能となる。また、フランジ部を上側のバスダクトユニットのハウジング外周に取り付けずに、フランジ部を前記一のバスダクトユニットのハウジングの下端に略当接するように設けることにより、フランジ部とバスダクトの外形の形状的な調整を低減或いは無くし、製造コストの低減、施工効率の向上を図ることができる。
【００１１】
また、本発明の垂直布設バスダクトの防水構造は、前記フランジ部から上方に突出する突出部を設け、前記突出部を前記一のバスダクトユニットのハウジングの内側に配置することを特徴とする。
前記構成により、組立作業者の熟練度によらず、接続部を確実に防水することができると共に、パッキンやシーリング等の止水材を設ける場合にも、止水材が外部に露出して外観が損なわれることを防止することができる。
【００１２】
また、本発明の垂直布設バスダクトの防水構造は、複数のバスダクトユニットを接続して垂直方向に布設して構成される垂直布設バスダクトの防水構造であって、上側に位置する一のバスダクトユニットと下側に位置する他のバスダクトユニットとを接続部で接続し、前記接続部の周囲外方に突出するフランジ部を、例えば前記接続部の上部近傍位置で一のバスダクトユニットのハウジング下端から離間した位置等、前記接続部の上部近傍位置に設け、前記フランジ部から下方に突出して前記接続部の全周を覆う接続部カバー部を設け、前記フランジ部から上方に突出する突出部を設け、前記突出部を前記一のバスダクトユニットのハウジングの内側に配置することを特徴とする。
前記構成では、組立作業者の熟練度によらず、接続部を確実に防水することができると共に、パッキンやシーリング等の止水材を設ける場合にも、止水材が外部に露出して外観が損なわれることを防止することができる。
【００１３】
また、本発明の垂直布設バスダクトの防水構造は、前記他のバスダクトユニットのハウジング上端を前記フランジ部の下側に配置し、前記フランジ部に固定することを特徴とする。
前記構成により、防水構造の長さ方向の大型化を抑制しつつ、確実にバスダクトユニットを相互に接続することができると共に、他のバスダクトユニットのハウジング内に水が流入することを確実に防止することができる。
【００１４】
また、本発明の垂直布設バスダクトの防水構造は、前記接続部を、前記一のバスダクトユニットと前記他のバスダクトユニットを接続する接続ユニットとすることを特徴とする。
前記構成では、接続ユニットでバスダクトユニットの接続作業を容易に行うことができると共に、複雑な構成の接続ユニットでもフランジ部により確実に上方からの水の浸入を防止することが可能となる。
前記接続ユニットは、フランジ部、又はフランジ部と突出部と一体化して一のバスダクトユニットと接続する構成とすると、施工性を向上できて好ましい。
【００１５】
また、本発明の垂直布設バスダクトの防水構造は、前記突出部の外面と前記一のバスダクトユニットのハウジングの内面との間に止水材を設けることを特徴とする。
前記構成では、止水材が外部に露出して外観が損なわれることを防止できると共に、止水材はフランジ部より上側に流れる可能性のある水に対する補助的な防水機能を果たすものとなるから、高度な止水材の設置状態が要求されなくなり、止水材の取り付け作業に求められる作業者の熟練度を無くす或いはレベルを低くすることができる。
【００１６】
また、本発明の垂直布設バスダクトの防水構造は、前記突出部を前記フランジ部の略中央で上下に開口する筒状に形成することを特徴とする。
前記構成では、筒状の突出部により、一のバスダクトユニットのハウジング下端から接続部に水が浸入することを確実に防止することができ、一のバスダクトユニットのハウジング下端の構成や形状を問わず、より確実に防水を図ることが可能となる。
【発明の効果】
【００１７】
本発明の垂直布設バスダクトの防水構造は、フランジ部を一のバスダクトユニットのハウジング下端に略当接させ、そのフランジ部から下方に突出して接続部カバー部を設けることにより、接続部カバー部の垂直布設バスダクトの延設方向における長さの大型化を抑制することができる。即ち、接続部カバー部或いは防水構造を短くすることが可能であり、例えば接続部が短い距離で連続して設けられる垂直布設バスダクトの場合や、複数系統の垂直布設バスダクトを相互の布設間隔を狭くするために幅方向等に膨らむ接続部をずらして設置する複数系統の垂直布設バスダクトの場合等にも、接続部カバー部を確実に取り付けることが可能となる。また、フランジ部を上側のバスダクトユニットのハウジング外周に取り付けずに、フランジ部を前記一のバスダクトユニットのハウジングの下端に略当接するように設けることにより、フランジ部とバスダクトの外形の形状的な調整を低減或いは無くし、製造コストの低減、施工効率の向上を図ることができる。
【図面の簡単な説明】
【００１８】
【図１】（ａ）は第１実施形態の垂直布設バスダクトの防水構造におけるバスダクトユニットの正面図、（ｂ）はその側面図、（ｃ）はその平面図。
【図２】（ａ）は第１実施形態の垂直布設バスダクトの防水構造におけるバスダクトユニット、フランジ部、補助側板を示す正面図、（ｂ）はその側面図、（ｃ）はその平面図。
【図３】（ａ）は第１実施形態の垂直布設バスダクトの防水構造における一のバスダクトユニットと他のバスダクトユニットと接続側板を示す正面図、（ｂ）はその側面図。
【図４】（ａ）は第１実施形態の垂直布設バスダクトの防水構造における一のバスダクトユニットと他のバスダクトユニットとを接続して構成した接続部に接続カバーを設置する前の状態示す正面図、（ｂ）はその側面図。
【図５】（ａ）は第１実施形態の垂直布設バスダクトの防水構造における接続部にカバー部材を設置する前の状態を示す正面図、（ｂ）はその側面図、（ｃ）は接続部に設置する前のカバー部材の平面図。
【図６】（ａ）は第１実施形態の垂直布設バスダクトの防水構造における接続部にカバー部材を設置した後の状態を示す正面図、（ｂ）はその側面図、（ｃ）は接続部に設置した後のカバー部材の平面図。
【図７】（ａ）は第２実施形態の垂直布設バスダクトの防水構造における防水構造を形成する前の状態を示す正面図、（ｂ）はその側面図。
【図８】（ａ）は第２実施形態の垂直布設バスダクトの防水構造における防水構造を形成した後の状態を示す正面図、（ｂ）はその側面図。
【図９】（ａ）は第２実施形態の垂直布設バスダクトの防水構造における水切部材と接続ユニットを示す正面図、（ｂ）はその側面図、（ｃ）は水切部材の平面図。
【発明を実施するための形態】
【００１９】
〔第１実施形態の垂直布設バスダクトの防水構造〕
本発明による第１実施形態の垂直布設バスダクトの防水構造について図面を参照して説明する。第１実施形態の垂直布設バスダクトの防水構造における垂直方向に複数布設して接続されるバスダクトユニット１は、図１に示すように、複数線である３線の導体１３が一定距離離間して配設され、導体１３の厚さ方向両側に厚さ方向側板１１が配置されると共に、導体１３の幅方向両側に幅方向側板１２が配置され、厚さ方向側板１１と幅方向側板１２とがボルト、ナット等の締着具にて固定されている。即ち、３線の導体１３は、厚さ方向側板１１と幅方向側板１２とで構成されるハウジング１０の断面視矩形の内部空間に配置され、固定部材１４１を介して固定されている支持部材１４でそれぞれ支持されている。
【００２０】
厚さ方向側板１１は、矩形で平板状の基板１１１と、基板１１１の導体１３の幅方向に対応する両端縁に外方に屈曲して延設されている突出片１１２を有する断面視略コ字形に形成され、導体１３の長さ方向に対応する一方の端縁には基板１１１から外方に屈曲延設して取付片１１３が形成されている。また、幅方向側板１２は、矩形で平板状の基板１２１と、基板１２１の導体１３の厚さ方向に対応する両端縁に内方に屈曲して延設されている補強片１２２を有する断面視略コ字形に形成され、導体１３の長さ方向に対応する一方の端縁には基板１２１から外方に屈曲延設して取付片１２３が形成されており、対向する幅方向側板１２・１２の補強片１２２・１２２は互いに向かい合うようになっている。厚さ方向側板１１は、導体１３の長さ方向に対応する他端側で幅方向側板１２よりも長く突出するように形成、配置されており、厚さ方向側板１１の突出片１１２と、幅方向側板１２の基板１２１とがボルト、ナット等の締着具で固定されている。
【００２１】
導体１３は、矩形で平板状であり、３線とも全て絶縁物１３１で被覆され、その両端部は絶縁被覆から露出している。導体１３は、その長さ方向の一方端側においては真っ直ぐに延びて形成され、他方端側においては他方端近傍で導体１３の厚さ分、厚さ方向の一方に屈曲して形成されている。
【００２２】
厚さ方向側板１１の突出片１１２と幅方向側板１２の基板１２１との間には固定部材１４１の端部が配置され、突出片１１２と基板１２１と固定部材１４１の端部は、前記締着具により共締めされて固定されている。支持部材１４は、固定部材１４１にボルト、ナット等の締着具によって固定されており、導体１３の幅方向両側から導体１３を挟み込むように支持している。導体１３の長さ方向の一方端側の固定部材１４１は、幅方向側板１２の基板１２１に当接する当接面１４２と、当接面１４２の導体１３の長さ方向の両端縁を内方に屈曲して延設される立片１４３と、立片１４３の端縁を互いに離反するように屈曲して延設される固定面１４４と、固定面１４４の外端縁を外方に屈曲して延設される補強面１４５を有する構成であり、基板１２１に当接してない固定面１４４に支持部材１４の底面が固定されている。また、導体１３の長さ方向の他方端側で、取付片１１３、１２３を有しない端部側の固定部材１４は、当接面１４２と、立片１４３と、固定面１４４で構成され、外側の補強面１４５を有しない構成であると共に、固定面１４４が延設され、固定面１４４に等間隔に４つの溝１４６を形成してなる絶縁板位置決め部１４７が形成されており、後述する導体１３の接続部の絶縁性を向上させるための絶縁板１５を溝１４６内に配置することで、絶縁板１５の位置決めを可能にしている。
【００２３】
バスダクトユニット１を垂直方向に複数配置して接続し、垂直布設バスダクトを構成する場合には、図２に示すように、上側に位置する一のバスダクトユニット１を取付片１１３、１２３が下側になるように配置し、その下側に水切部材１６を配置してハウジング１０に固定し、更に水切部材１６の下側に補助側板１７を配置して固定する。
【００２４】
水切部材１６は、フランジ部１８と、フランジ部１８から上方に突出する突出部１９とから構成される。フランジ部１８は、矩形で平板状の基板１６１と、基板１６１の略中央に形成された導体１３を挿通可能な挿通孔１６２と、基板１６１の四方端縁を下方に屈曲延設してなる垂下片１６３とを有する。突出部１９は、フランジ部１８の略中央で上下に開口する筒状であり、基板１６１にリベット等で固定されている。また、基板１６１の下方には、固定面１４４の絶縁板位置決め部１４７に形成された４つの溝１４６と同間隔の溝１６５を有する板状の絶縁板位置決め部１６４が取り付けられている。補助側板１７は、基板と側板で構成される断面視コ字形で、下面がなく上面のみを有する形状である。
【００２５】
水切部材１６及び補助側板１７を一のバスダクトユニット１に取り付ける場合には、図２及び図３に示すように、水切部材１６の平面視矩形の突出部１９を一のバスダクトユニット１のハウジング１０の矩形空間の内面に沿って位置するように挿入して内側に配置すると共に、フランジ部１８の上面をハウジング１０の取付片１１３、１２３の下面に当接させ、フランジ部１８を一のバスダクトユニット１のハウジング１０の下端に当接するように設ける。そして、必要に応じてハウジング１０の内面と突出部１９の外面との間に止水材を介在させ、突出部１９とハウジング１０をボルト、ナット等の締着具で固定すると共に、必要に応じてフランジ部１８の基板１６１と取付片１１３、１２３との間に止水材を介在させ、フランジ部１８の基板１６１の下面に補助側板１７を配置して、これらを一括でボルト、ナット等の締着具で固定する。
【００２６】
上記構造により、一のバスダクトユニット１のハウジング１０の下端に当接するようにフランジ部１８を設け、そのフランジ部１８を外方に突出させ、フランジ部１８より下方に位置するバスダクトユニット１相互の接続部を傘状に水切して防水することが可能となる。尚、本実施形態ではフランジ部１８は、ハウジング１０の外形から周囲外方に突出した状態で取り付けられているが、少なくとも接続部の外形から周囲外方に突出した状態で取り付けられれば適用可能である。
【００２７】
その後、図３に示すように、他のバスダクトユニット１の取付片１１３、１２３を有しない側の端部を上側にして、一のバスダクトユニット１の下側に位置する取付片１１３、１２３の下方に配置し、補助側板１７の下端と、他のバスダクトユニット１の厚さ方向側板１１の上端が当接するように配置する。そして、図４に示すように、平板状の基面とその長さ方向の両端縁を外方に起立した側片を有する断面視コ字形の形状である接続側板２０を、前記補助側板１７の下端と厚さ方向側板１１の上端が当接する部分の外側面に接触させて架け渡すように配置し、接続側板２０と補助側板１７、接続側板２０と厚さ方向側板１１をボルト、ナット等の締着具で締結して連結し、一のバスダクトユニット１のハウジング１０と他のバスダクトユニット１のハウジング１０を相互に連結して接続する。前記接続状態では、他のバスダクトユニット１のハウジング１０の上端はフランジ部１８の下側に配置される。
【００２８】
ハウジング１０を相互に接続した状態では、一のバスダクトユニット１の導体１３の絶縁物１３１から露出する端部と、他のバスダクトユニット１の導体１３の絶縁物１３１から露出する端部とが重ね合わさった状態となり、この重ね合わせ部分をボルト、ナット等の締着具で固定することにより、一のバスダクトユニット１の導体１３と他のバスダクトユニット１の導体１３の相互が電気的に接続される。この接続作業は、他のバスダクトユニット１の幅方向側板１２が厚さ方向側板１１よりも短く上側で厚さ方向側板１１が突出し、一のバスダクトユニット１に取り付けられた補助側板１７が突出する厚さ方向側板１１と当接して、接続箇所に前記厚さ方向側板１１の突出部分、補助側板１７、他のバスダクトユニット１の幅方向側板１２の上端縁及びフランジ部１８を開口縁として構成される開口部分を有することから、容易に行うことが可能である。更に、導体１３の接続箇所は絶縁物１３１が除去され、且つボルト、ナット等の締着具で締着されて、異相間の距離が狭くなっていることから、異相導体１３・１３の相互間に固定部材１４の溝１４６と水切部材１６の溝１６５に嵌め込んで絶縁板１５を配置し、異相導体１３、１３間の絶縁性を確保する。
【００２９】
その後、図４及び図５に示すように、断面視コ字形の接続カバー２３を前記開口部分を塞ぐように配置し、接続カバー２３を補助側板１７及び他のバスダクトユニット１の厚さ方向側板１１にボルト、ナット等の締着具で固定し、一のバスダクトユニット１と他のバスダクトユニット１の接続が完了する。尚、本実施形態における接続部は、一のバスダクトユニット１と他のバスダクトユニット１の接続に関わる補助側板１７、厚さ方向側板１１の上側突出部分、接続側板２０、導体１３の重ね合わせ部分及びその締着具等が相当する。
【００３０】
その後、図５及び図６に示すように、この接続部の少なくとも周囲４面を覆うように接続部カバー部２を配置し、接続部カバー部２をフランジ部１８に固定することにより、接続部の防水構造、即ち垂直布設バスダクトの防水構造が完成する。接続部カバー部２は、フランジ部１８から下方に突出して接続部の全周を覆うようになっている。本実施形態の接続部カバー部２は、バスダクトユニット１の厚さ方向側板１１の外側を覆う厚さ方向側板カバー部材２１と、幅方向側板１２の外側を覆う幅方向側板カバー部材２２とで構成されている。
【００３１】
厚さ方向側板カバー部材２１は、矩形平板状の基板２１１と、基板２１１の上端を外方に屈曲延設してなる固定片２１２と、基板２１１の両側端を外方に屈曲延設してなる側片２１３と、基板２１１の下端を内方に屈曲延設してなり、バスダクトユニット１のハウジング１０の外形に合わせた切欠を有する下片２１４とから構成される。また、幅方向側板カバー部材２２は、矩形平板状の基板２２１と、基板２２１の上端を外方に屈曲延設してなる固定片２２２と、基板２２１の両側端を内方に屈曲延設してなる側片２２３と、基板２２１の下端を内方に屈曲延設してなる下片２２４とから構成される。
【００３２】
そして、厚さ方向側板カバー部材２１の側片２１３と、幅方向側板カバー部材２２の基板２２１とをボルト、ナット等の締着具で固定することにより、筒状の接続部カバー部２が構成され、厚さ方向側板カバー部材２１の固定片２１２と幅方向側板カバー部材２２の固定片２２２を、それぞれフランジ部１８に固定することにより、接続部の周囲４面が被覆される。この被覆状態では、厚さ方向側板カバー部材２１の下片２１４、幅方向側板カバー部材２２の下片２２４は、それぞれ接続部よりも下方に位置して配置され、下側に位置する他のバスダクトユニット１のハウジング１０の外周に配置される。前記構成では、厚さ方向側板カバー部材２１と幅方向側板カバー部材２２の締着具による固定箇所が、厚さ方向側板カバー部材の基板２１１よりも外方に位置することから、この締着具を伝って水分が浸入することを防止できると共に、それぞれの固定片２１１、２２１とフランジ部１８との固定箇所も同様にそれぞれの基板２１１、２２１よりも外方に位置することから、この固定箇所の締着具を伝って水分が浸入することも防止できる。
【００３３】
第１実施形態の垂直布設バスダクトの防水構造では、接続部の防水を確実に行えると同時に、フランジ部１８を一のバスダクトユニット１のハウジング１０の下端に当接させ、フランジ部１８から下方に突出して接続部カバー部２を設けることにより、接続部カバー部２の垂直布設バスダクトの延設方向における長さを抑制することができ、例えば接続部が短い間隔で設けられる垂直布設バスダクトの場合や、複数系統の垂直布設バスダクトを相互の布設間隔を狭くするために幅方向等に膨らむ接続部をずらして設置する複数系統の垂直布設バスダクトの場合等にも、接続部カバー部２を確実に取り付けることができる。また、フランジ部１８から上方に突出する突出部１９を上側のハウジング１０の内側に配置することにより、組立作業者の熟練度によらず、接続部を確実に防水することができると共に、止水材が外部に露出して外観が損なわれることを防止できる。また、下側の他のバスダクトユニット１のハウジング１０の上端をフランジ部１８の下側、即ち平面視でフランジ部１８の内側に配置することにより、他のバスダクトユニット１のハウジング１０内に水が流入することを確実に防止できる。
【００３４】
また、突出部１９の外面と一のバスダクトユニット１のハウジング１０の内面との間に止水材を設けることにより、止水材が外部に露出して外観が損なわれることを防止できると共に、止水材はフランジ部１８より上側に流れる可能性のある水に対する補助的な防水機能を果たすものとなるから、高度な止水材の設置状態が要求されなくなり、止水材の取り付け作業に求められる作業者の熟練度を無くす或いはレベルを低くすることができる。また、筒状の突出部１９により、一のバスダクトユニット１のハウジング１０の下端から接続部に水が浸入することを確実に防止することができ、一のバスダクトユニット１のハウジング１０下端の構成や形状を問わず、より確実に防水を図ることが可能となる。また、バスダクトユニット１自体には、カバー部材などを施す必要がないため、安価に構築することができると共に、高い熱放散効果を得られ、長期に亘って安定した送電が可能となる。
【００３５】
〔第２実施形態の垂直布設バスダクトの防水構造〕
次に、本発明による第２実施形態の垂直布設バスダクトの防水構造について説明する。第２実施形態の垂直布設バスダクトの防水構造における垂直方向に複数布設して接続されるバスダクトユニット３は、図７に示すように、導体３３に絶縁物３３１を被覆し、導体３３を相互に密着させてハウジング３０で被覆或いは収容する所謂密着絶縁型のバスダクトである。バスダクトユニット３は、パイプスペーサ３２を導体３３の厚さ方向両側から厚さ方向側板３１で挟持してボルト、ナット等の締着具で固定し、矩形の内部空間を有するハウジング３０を構成し、ハウジング３０内に３線の導体３３を配置している。導体３３には、それぞれに絶縁物３３１が被覆され、密着した状態で配置されており、両厚さ方向側板３１により、パイプスペーサ３２と共に挟持されている。
【００３６】
厚さ方向側板３１は、導体３３に内面で接する平板状の基板３１１と、基板３１１の導体３３の幅方向の両端縁を外方に屈曲延設してなる第１補強片３１２と、第１補強片３１２の外端縁を互いに向き合うように屈曲延設してなる第２補強片３１３とから構成される。バスダクトユニット３の長手方向における基板３１１の両端縁は略Ｌ字形に外方に拡開し、前記拡開部分は、後述するバスダクトユニット３を接続するための接続ユニット４の接続側板４１とビス等で接続されるようになっている。
【００３７】
パイプスペーサ３２は、図示省略するが、断面ロ字形の内部空間を有する中空に形成され、厚さ方向側板３１の拡開部分近傍までの長さを有する。また、導体３３は平板状であり、両外側に位置する導体３３は、その長手方向の両端部において、後述する接続ユニット４の導電性接続部材４２の間に挿入可能なように略く字形に外方に拡開している。
【００３８】
バスダクトユニット３を垂直方向に複数配置して接続し、垂直布設バスダクトを構成する場合には、図７及び図８に示すように、上側に位置する一のバスダクトユニット３の下側に水切部材３６を配置してハウジング３０に固定すると共に、水切部材３６の下側に接続ユニット４を配置して固定し、この接続部に相当する接続ユニット４によって一のバスダクトユニット３と下側に配置する他のバスダクトユニット３を相互に接続する。
【００３９】
水切部材３６は、図９に示すように、フランジ部３８と、フランジ部３８から上方に突出する突出部３９とから構成される。フランジ部３８は、矩形で平板状の基板３６１と、基板３６１の略中央に形成された導体３３を挿通可能な挿通孔３６２と、挿通孔３６２から近傍から立ち上がった形成された起立片３６５と、基板３６１の四方の端縁を下方に屈曲延設してなる垂下片３６３とを有する。突出部３９は、矩形平板状の基板３９１と、基板３９１の略中央に形成された導体３３を挿通可能な挿通孔３９２と、基板３９１の四辺の端縁を下方に屈曲延設してなる垂下片３９３とを有する。フランジ部３８と突出部３９は、起立片３６５と垂下片３９３のうち導体３３の幅方向両側片相互を垂下片３９３を外側にして沿わせるように配置し、リベット等で固定して取り付けられており、又、導体３３の厚さ方向両側片の起立片３６５は垂下片３９３の矩形切欠き内に収容され、当接するようになっている。そして、突出部３９は、フランジ部３８の略中央で上下に開口する筒状或いは後述する接続側板４１と相俟って上下に開口する筒状になっている。尚、接続作業等の点から可能な場合には、起立片３６５と垂下片３９３は、厚さ方向両側片相互を固定する、或いは全ての片を固定する等とすることが可能であり、全ての片を固定する場合には固定強度が増すことができる。
【００４０】
接続ユニット４は、異相の導体３３端部を相互に絶縁する絶縁セパレータ４３と、同相の導体３３端部の両外側に沿わされ、突き合わされた導体３３相互に架け渡すように配置されて電気的に接続する導電性接続部材４２と、最外側の絶縁セパレータ４３の両外側に配置される接続側板４１と、絶縁セパレータ４３、導電性接続部材４２、接続側板４１を一括して仮締着する締着具４４とから構成されている。接続側板４１の上側の端部は、上側に位置する突出部３９の垂下片３９３の内面に接するように配置され、垂下片３９３にリベット等で固定されて、水切部材３６と接続ユニット４が一体的なユニットとして構成されている。尚、形状によっては接続側板４１をフランジ部３８に固着する構成とすることも可能である。
【００４１】
バスダクトユニット３を相互に接続する場合には、図７及び図８に示すように、上側に位置する一のバスダクトユニット３の下側に接続ユニット４と一体的にユニット化された水切部材３６を配置し、突出部３９は、ハウジング３０の構成部材である厚さ方向側板３１の拡開部分の内面に略接するようにハウジング３０の内側に配置され、且つ厚さ方向側板３１の下端がフランジ部３８の上面に略当接するように配置される。この水切部材３６の配置では、一のバスダクトユニット３の導体３３の端部が接続ユニット４の導電性接続部材４２・４２相互間に挿入して配置される。必要に応じて、厚さ方向側板３１の拡開部分の内面と突出部３９の外面との間に止水材を設けてもよい。また、下側に配置する他のバスダクトユニット３を接続ユニット４の下側に設け、他のバスダクトユニット３の導体３３の端部を接続ユニット４の導電性接続部材４２・４２相互間に挿入して配置し、接続ユニット４の締着具４４を本締着することにより、一のバスダクトユニット３と他のバスダクトユニット３との電気的な接続が完了する。そして、フランジ部３８は、接続部に相当する接続ユニット４及び他のバスダクトユニット３の周囲外方に突出して設けられ、他のバスダクトユニット３のハウジング３０の上端はフランジ部３８の下側に配置される。
【００４２】
その後、上側に位置する一のバスダクトユニット３のパイプスペーサ３２と厚さ方向側板３１の第１補強片３１２の外側面に、ハウジング３０を構成する断面視コ字形の本体カバー部材５を被覆し、本体カバー部材５の内面を突出部３９の外面に略接するように設け、本体カバー部材５をボルト、ナット等の締着具で水切部材３６の突出部３９の垂下片３９３に固定し、パイプスペーサ３２と一のバスダクトユニット３におけるハウジング３０の厚さ方向側板３１の基板３１１との間の隙間を閉塞する。必要に応じて、本体カバー部材５の内面と突出部３９の外面との間に止水材を設けてもよい。また、他のバスダクトユニット３のパイプスペーサ３２と厚さ方向側板３１の第１補強片３１２の外側面にも、ハウジング３０を構成する断面視コ字形の本体カバー部材５を被覆し、本体カバー部材５をボルト、ナット等の締着具で他のバスダクトユニット５のハウジング３０に固定し、パイプスペーサ３２と他のバスダクトユニット３におけるハウジング３０の厚さ方向側板３１の基板３１１との間の隙間を閉塞する。
【００４３】
更に、フランジ部３８から下方に突出して接続ユニット４の全周を覆う接続部カバー部５を設ける。第２実施形態の接続部カバー部５は、幅方向カバー部材５１と厚さ方向カバー部材５２とから構成される。断面視コ字形で上端を外方に屈曲延設してなる固定部５１１を有する幅方向カバー部材５１を、フランジ部３８の基板３６１の下端に配置し、幅方向カバー部材５１により導体３３及び導電性接続部材４２を幅方向から覆う。幅方向カバー部材５１は、上側においては基板３６１の下面と固定部５１１とを当接してボルト、ナット等の締着具で締着固定され、下側においては他のバスダクトユニット３のハウジング３０にボルト、ナット等の締着具で固定される。
【００４４】
また、断面視コ字形であり、上端を外方に屈曲延設してなる固定部５２１と、下端を内方に屈曲延設してなり、他のバスダクトユニット３の外形に略沿うような形状に切り欠かれた下端片５２２を有する厚さ方向カバー部材５２を、フランジ部３８の基板３６１の下端に配置し、厚さ方向カバー部材５２により導体３３を厚さ方向から覆う。厚さ方向カバー部材５２は、上側においては基板３６１の下面と固定部５２１とを当接してボルト、ナット等の締着具で締着固定され、中間部においては幅方向カバー部材５１と接触してボルト、ナット等の締着具で締着固定される。
【００４５】
第２実施形態の垂直布設バスダクトの防水構造は、接続ユニット４でバスダクトユニット３の接続作業を容易に行うことができると共に、複雑な構成の接続ユニット４でもフランジ部３８により確実に上方からの水の浸入を防止することが可能となる。また、接続ユニット４の接続側板４１の上側の端部を、上側に位置する突出部３９の垂下片３９３の内面に接するように配置して固定することにより、複雑な構成となる接続ユニット４でも確実に上方からの水の浸入を防止することが可能となる。
【００４６】
また、密着絶縁型バスダクトでも容易に対応することができると共に、接続方式においても、導体３３端部を重ね合わせて接続する重ね合わせ接続、また、導体端部を突き合わせて接続する突き合わせ接続の何れでも容易に対応することができる。また、幅方向カバー部材５１を、通常接続において接続ユニット４における導体３３の幅方向両側の開放面を閉塞するカバーと兼用しているため、部品点数を減らし、コストダウンを図ることができる。また、バスダクトユニット３自体に特別な加工を必要とせず、バスダクトユニット３を上下の方向性の規制無く使用できるため、施工性を向上し、コストダウンを図ることができる。また、フランジ部３８と突出片３９が別体で形成可能であるため、製造が容易となり、コストダウン効果、並びにより最適な防水性能の向上を容易に図ることが可能となる。その他に、第１実施形態の構成と対応する構成により、対応する効果を発揮することができる。
【００４７】
〔実施形態の変形例等〕
本明細書開示の発明には、解決手段に記載の各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記のような変形例も包含される。
【００４８】
例えば第１実施形態では、導体１３に絶縁物１３１を被覆して異相導体１３を相互に離間して配置するバスダクトユニット１による構成について説明したが、異相の各導体１３の相互間隔を広く保ち、空気で絶縁可能とする所謂空気絶縁型バスダクトユニットの場合にも本発明は適用可能である。更に、バスダクトユニットのハウジングの形状、接続構造、導体の支持構造、絶縁構造等は、実施形態等に限定されるものではなく、本発明は様々なハウジング形状、接続構造、導体の支持構造、絶縁構造等のバスダクトに適用することが可能である。
【００４９】
また、補助側板１７を用いない構成とすることも可能であり、この場合には、例えば下側に位置する他のバスダクトユニット１のハウジングの上端に下端と同様に取付片１１３、１２３を設け、一のバスダクトユニット１と他のバスダクトユニット１の上下の取付片１１３、１２３とフランジ部１８の基板１６１とを締着具で一括して固定する構成等とすることが可能である。前記構成の如く、他のバスダクトユニット１のハウジング１０の上端をフランジ部１８の下側に配置し、フランジ部１８に固定することにより、防水構造の長さ方向の大型化を抑制しつつ、確実にバスダクトユニット１を相互に接続することができると共に、他のバスダクトユニット１のハウジング１０内に水が流入することを確実に防止することができる。また、パッキンやシーリング等の止水材は適宜箇所に設けることが可能である。また、ボルト、ナット等の締着具には、シールワッシャーを介在させると、適宜防水効果を向上させることが可能となるので、好適である。
【００５０】
また、フランジ部、接続部カバー部等の構成或いは形状は上記実施形態に限定されるものではなく、本発明の趣旨の範囲内で適宜であり、例えば断面視コ字形の２つのカバー部材を組み合わせて筒状の接続部カバー部とする構成、断面視コ字形の１つのカバー部材と、平板状の１つのカバー部材を組み合わせて筒状の接続部カバー部とする構成、或いは平面視略円形のフランジ部を設け、その回り若しくは下側に円筒状の接続部カバー部を設置して固定する構成等とすることが可能である。また、突出部１９は筒状とすると好適であるが、例えばフランジ部１８の略中央の開口から上方に突出する突出片を周方向に間隔を開けて設ける、或いは前記開口の対向する辺から上方に突出して突出片を設ける構成等とすることも可能である。
【００５１】
また、上記実施形態では、接続部の周囲外方を覆うフランジ部１８を上側に位置する一のバスダクトユニット１のハウジング１０の下端に当接する構成について説明したが、接続部の周囲外方に突出するフランジ部１８を接続部の上部近傍位置で一のバスダクトユニット１のハウジング１０下端から離間した位置等に設け、そのフランジ部１８から下方に突出して接続部の全周を覆う接続部カバー部２を設け、フランジ部１８から上方に突出する突出部１９を設け、突出部１９を一のバスダクトユニット１のハウジング１０の内側に配置する構成の発明も本明細書開示の発明に包含される。また、第２実施形態の突出部３９とフランジ部３８は一体形成してもよい。
【００５２】
また、第１実施形態の導体１３を離間させてなるバスダクトの接続部を第２実施形態の接続ユニット４のようにユニット化した接続部としてもよく、逆に、第２実施形態の密着絶縁型のバスダクトの接続部を第１実施形態の接続部のように重ね合わせ接続する接続部とすることも可能である。
【００５３】
また、第２実施形態の本体カバー部材５は、締着具で水切り部材３６の突出部３９の垂下片３９３に固定しない構成とすることも可能であり、例えば両面テープなどで固定する構成とすると、作業性が向上する。更に、その両面テープが止水効果を有するものとすると、より好ましい。
【００５４】
また、第２実施形態の幅方向カバー部材５１を、通常接続で接続ユニット４における導体３３の幅方向両側の開放面を閉塞するカバーと兼用する構成に限定されず、兼用せずに別にカバーを設ける構成とすることが可能であり、更に、その別体のカバーを、或いは幅方向カバー部材５１を、第１実施形態の幅方向側板カバー部材２２のように、例えば接続ユニット４から離れた位置に配置して、フランジ部３８と厚さ方向カバー部材５２に締着具などで固定する構成としてもよく、好適には第１実施形態の幅方向側板カバー部材２２のように下片を設ける構成とするとよい。
【００５５】
また、接続部カバー部２の下片は所要箇所のみに設ける或いは設けない構成とすることも可能であり、これにより、製造コストを大幅に低減することができる。例えば一番下側に位置する或いは地面から近い接続部カバー部２のみに下片を設け、雨水等の跳ね返りを防止するようにしてもよい。
【００５６】
また、第２実施形態の水切部材３６と接続ユニット４との取り付けは、例えば接続側板４１の上側を互いに外方に屈曲して屈曲部分を設け、この屈曲部分をフランジ部３８の下端に当接させてボルト、ナット等の締着具で取付ける構成など、適宜である。
【産業上の利用可能性】
【００５７】
本発明は、垂直布設バスダクトの防水に利用することができる。
【符号の説明】
【００５８】
１、３…バスダクトユニット  １０、３０…ハウジング  ２…接続部カバー部  １１、３１…厚さ方向側板  １１１、３１１…基板  １１２…突出片  １１３…取付片  １２…幅方向側板  １２１…基板  １２２…補強片  １２３…取付片  １３、３３…導体  １３１、３３１…絶縁物  １４…支持部材  １４１…固定部材  １４２…当接面  １４３…立片  １４４…固定面  １４５…補強面  １４６…溝  １４７…絶縁板位置決め部  １５…絶縁板  １６、３６…水切部材  １６１、３６１…基板  １６２、３６２…挿通孔  １６３、３６３…垂下片  １６４…絶縁板位置決め部  １６５…溝  １７…補助側板  １８、３８…フランジ部  １９、３９…突出部  ２０…接続側板  ２１…厚さ方向側板カバー部材  ２１１…基板  ２１２…固定片  ２１３…側片  ２１４…下片  ２２…幅方向側板カバー部材  ２２１…基板  ２２２…固定片  ２２３…側片  ２２４…下片  ２３…接続カバー  ３１２…第１補強片  ３１３…第２補強片  ３２…パイプスペーサ  ３６５…起立片  ３９１…基板  ３９２…挿通孔  ３９３…垂下片  ４…接続ユニット  ４１…接続側板  ４２…導電性接続部材  ４３…絶縁セパレータ  ４４…締着具  ５…本体カバー部材  ５１…幅方向カバー部材  ５１１…固定部  ５２…厚さ方向カバー部材  ５２１…固定部  ５２２…下端片
【図１】
2010124683.tif 000003
【図２】
2010124683.tif 000004
【図３】
2010124683.tif 000005
【図４】
2010124683.tif 000006
【図５】
2010124683.tif 000007
【図６】
2010124683.tif 000008
【図７】
2010124683.tif 000009
【図８】
2010124683.tif 000010
【図９】
2010124683.tif 000011